(57)【要約】【課題】災害が発生した場合におけるネットワークからの情報取得を支援する。【解決手段】無線通信システム３０１は、管理装置１０１に接続され、災害発生時の行動に関する行動情報を記憶するネットワーク側記憶装置１５１と、管理装置１０１とネットワークを介して接続され、１または複数の無線端末装置およびネットワーク間の通信を中継する１または複数のゲートウェイ装置１１１と、ゲートウェイ装置１１１に接続され、災害発生時の行動に関する行動情報を記憶するローカル記憶装置１２１とを備える。ゲートウェイ装置１１１は、災害発生を示す災害情報を受信して、ローカル記憶装置１２１から行動情報を取得して各無線端末装置に報知する。無線通信システム３０１は、さらに、ローカル記憶装置１２１が記憶する行動情報をネットワーク側記憶装置１５１が記憶している行動情報と同期させる更新部を備える。【選択図】図５
2014192890.tif 000002
【特許請求の範囲】
【請求項１】
管理装置と、
前記管理装置に接続され、災害発生時の行動に関する行動情報を記憶するネットワーク側記憶装置と、
前記管理装置とネットワークを介して接続され、１または複数の無線端末装置および前記ネットワーク間の通信を中継する１または複数のゲートウェイ装置と、
前記ゲートウェイ装置に接続され、災害発生時の行動に関する行動情報を記憶するローカル記憶装置とを備え、
前記ゲートウェイ装置は、災害発生を示す災害情報を受信して、前記ローカル記憶装置から前記行動情報を取得し、取得した前記行動情報を各前記無線端末装置に報知し、
さらに、
前記ローカル記憶装置が記憶する前記行動情報を前記ネットワーク側記憶装置が記憶している前記行動情報と同期させる更新部を備える、無線通信システム。
【請求項２】
前記ローカル記憶装置は、前記ネットワーク側記憶装置が記憶している前記行動情報の一部を記憶し、
前記更新部は、前記ローカル記憶装置が記憶する前記行動情報を前記ネットワーク側記憶装置が記憶している前記行動情報の一部と同期させる、請求項１に記載の無線通信システム。
【請求項３】
前記更新部は、前記ネットワーク側記憶装置が記憶している前記行動情報のうち、前記ゲートウェイ装置の位置に対応する前記行動情報に、前記ゲートウェイ装置に接続された前記ローカル記憶装置が記憶する前記行動情報を同期させる、請求項２に記載の無線通信システム。
【請求項４】
前記更新部は、前記ゲートウェイ装置が前記災害情報を受信する前の段階において、前記ローカル記憶装置が記憶する前記行動情報を前記ネットワーク側記憶装置が記憶している前記行動情報と同期させる、請求項１から請求項３のいずれか１項に記載の無線通信システム。
【請求項５】
前記更新部は、前記ゲートウェイ装置が前記災害情報を受信した後の段階において、前記ローカル記憶装置が記憶する前記行動情報を前記ネットワーク側記憶装置が記憶している前記行動情報と同期させる、請求項１から請求項４のいずれか１項に記載の無線通信システム。
【請求項６】
前記更新部は、前記ゲートウェイ装置が前記災害情報を受信する前の段階および前記災害情報を受信した後の段階において、前記ローカル記憶装置が記憶する前記行動情報を前記ネットワーク側記憶装置が記憶している前記行動情報と同期させ、前記災害情報を受信した後の段階における前記行動情報の更新頻度を、前記災害情報を受信する前の段階と比べて多くする、請求項４または請求項５に記載の無線通信システム。
【請求項７】
前記ゲートウェイ装置は、前記行動情報を報知した後、前記無線端末装置が起動した場合、報知した前記行動情報を、起動した前記無線端末装置へユニキャストする、請求項１から請求項６のいずれか１項に記載の無線通信システム。
【請求項８】
災害発生時の行動に関する行動情報を記憶するネットワーク側記憶装置が接続される管理装置とネットワークを介して接続され、災害発生時の行動に関する行動情報を記憶するローカル記憶装置と接続され、１または複数の無線端末装置および前記ネットワーク間の通信を中継するゲートウェイ装置であって、
災害発生を示す災害情報を受信して、前記ローカル記憶装置から前記行動情報を取得する行動情報取得部と、
前記行動情報取得部によって取得された前記行動情報を各前記無線端末装置に報知する行動情報配信部と、
前記ローカル記憶装置が記憶する前記行動情報を前記ネットワーク側記憶装置が記憶している前記行動情報と同期させる更新部とを備える、ゲートウェイ装置。
【請求項９】
管理装置と、前記管理装置に接続され、災害発生時の行動に関する行動情報を記憶するネットワーク側記憶装置と、前記管理装置とネットワークを介して接続され、１または複数の無線端末装置および前記ネットワーク間の通信を中継する１または複数のゲートウェイ装置と、前記ゲートウェイ装置に接続され、災害発生時の行動に関する行動情報を記憶するローカル記憶装置とを備える無線通信システムにおける通信制御方法であって、
前記ゲートウェイ装置が、災害発生を示す災害情報を受信して、前記ローカル記憶装置から前記行動情報を取得し、取得した前記行動情報を各前記無線端末装置に報知するステップと、
前記ローカル記憶装置が記憶する前記行動情報を前記ネットワーク側記憶装置が記憶している前記行動情報と同期させるステップとを含む、通信制御方法。
【発明の詳細な説明】
【技術分野】
【０００１】
本発明は、無線通信システム、ゲートウェイ装置および通信制御方法に関し、特に、災害に関する情報を配信する無線通信システム、ゲートウェイ装置および通信制御方法に関する。
【背景技術】
【０００２】
移動通信システムでは、無線端末装置が通信可能なエリアであるセル、を形成する無線基地局装置による通信サービスが提供されている。
【０００３】
また、このような通信サービス等を利用したシステムとして、Ｍ２Ｍ（Machine to Machine）システムが知られている。Ｍ２Ｍシステムでは、無線機を搭載した機器同士が人間を介在せずに相互に情報をやり取りすることにより、自動販売機に内蔵されている商品の在庫状況が自動的にサーバ等に報告される等、自動的に機器の制御が行われる。
【０００４】
Ｍ２Ｍシステムの一例として、たとえば、特許文献１（特許第４２３７１３４号公報）には、以下のような技術が開示されている。すなわち、無線端末と、当該無線端末との無線通信が可能なゲートウェイノードと、無線端末の位置情報を保持する位置情報記憶装置とを有する移動体通信ネットワークと、上記無線端末からのメッセージ送信先である端末が接続される他のネットワークとがゲートウェイを介して接続されてなるネットワークシステムである。当該ネットワークシステムは、上記無線端末ごとに予め定めた送信先である上記端末のアドレスを保持する端末アドレス保持手段を有する。上記無線端末から上記端末へメッセージを送信する際には、上記ゲートウェイノードは、上記無線端末より無線フレームを受信すると、上記端末アドレス保持手段にアクセスして、無線端末ごとにメッセージの送信先の端末アドレスを特定し、当該特定した送信先の端末宛に上記ゲートウェイを介してメッセージを送信する。上記端末より上記無線端末へメッセージを送信する際には、上記ゲートウェイは、上記位置情報記憶装置にアクセスし、上記無線端末のＩＤから位置情報を取得し、当該取得した位置情報から該当するゲートウェイノードへメッセージを転送する。当該ゲートウェイノードは、上記無線端末へ上記メッセージを転送する。
【先行技術文献】
【特許文献】
【０００５】
【特許文献１】特許第４２３７１３４号公報
【発明の概要】
【発明が解決しようとする課題】
【０００６】
このようなＭ２Ｍシステム等の通信システムを利用するユーザは、地震等の災害が発生した場合、各種情報を取得するために、たとえば所有する無線端末装置を用いてネットワークに接続しようとする。
【０００７】
しかしながら、このような災害時には、ネットワークにおいて通信障害が発生する状況も十分考えられ、この場合、ユーザはネットワークに接続することが困難となり、情報の取得が円滑に行なえなくなってしまう。
【０００８】
この発明は、上述の課題を解決するためになされたもので、その目的は、災害が発生した場合におけるネットワークからの情報取得を支援することが可能な無線通信システム、ゲートウェイ装置および通信制御方法を提供することである。
【課題を解決するための手段】
【０００９】
（１）上記課題を解決するために、この発明のある局面に係わる無線通信システムは、管理装置と、前記管理装置に接続され、災害発生時の行動に関する行動情報を記憶するネットワーク側記憶装置と、前記管理装置とネットワークを介して接続され、１または複数の無線端末装置および前記ネットワーク間の通信を中継する１または複数のゲートウェイ装置と、前記ゲートウェイ装置に接続され、災害発生時の行動に関する行動情報を記憶するローカル記憶装置とを備え、前記ゲートウェイ装置は、災害発生を示す災害情報を受信して、前記ローカル記憶装置から前記行動情報を取得し、取得した前記行動情報を各前記無線端末装置に報知し、さらに、前記ローカル記憶装置が記憶する前記行動情報を前記ネットワーク側記憶装置が記憶している前記行動情報と同期させる更新部を備える。
【００１０】
（８）上記課題を解決するために、この発明のある局面に係わるゲートウェイ装置は、災害発生時の行動に関する行動情報を記憶するネットワーク側記憶装置が接続される管理装置とネットワークを介して接続され、災害発生時の行動に関する行動情報を記憶するローカル記憶装置と接続され、１または複数の無線端末装置および前記ネットワーク間の通信を中継するゲートウェイ装置であって、災害発生を示す災害情報を受信して、前記ローカル記憶装置から前記行動情報を取得する行動情報取得部と、前記行動情報取得部によって取得された前記行動情報を各前記無線端末装置に報知する行動情報配信部と、前記ローカル記憶装置が記憶する前記行動情報を前記ネットワーク側記憶装置が記憶している前記行動情報と同期させる更新部とを備える。
【００１１】
（９）上記課題を解決するために、この発明のある局面に係わる通信制御方法は、管理装置と、前記管理装置に接続され、災害発生時の行動に関する行動情報を記憶するネットワーク側記憶装置と、前記管理装置とネットワークを介して接続され、１または複数の無線端末装置および前記ネットワーク間の通信を中継する１または複数のゲートウェイ装置と、前記ゲートウェイ装置に接続され、災害発生時の行動に関する行動情報を記憶するローカル記憶装置とを備える無線通信システムにおける通信制御方法であって、前記ゲートウェイ装置が、災害発生を示す災害情報を受信して、前記ローカル記憶装置から前記行動情報を取得し、取得した前記行動情報を各前記無線端末装置に報知するステップと、前記ローカル記憶装置が記憶する前記行動情報を前記ネットワーク側記憶装置が記憶している前記行動情報と同期させるステップとを含む。
【発明の効果】
【００１２】
本発明によれば、災害が発生した場合におけるネットワークからの情報取得を支援することができる。
【図面の簡単な説明】
【００１３】
【図１】図１は、本発明の実施の形態に係る無線通信システムの構成を示す図である。
【図２】図２は、本発明の実施の形態に係る無線通信システムによる行動情報の配信を示す図である。
【図３】図３は、本発明の実施の形態に係る無線通信システムの平時における利用形態の一例を示す図である。
【図４】図４は、本発明の実施の形態に係る無線通信システムにおける、無線端末装置による情報取得を示す図である。
【図５】図５は、本発明の実施の形態に係る無線通信システムによるローカルデータベースの更新を示す図である。
【図６】図６は、本発明の実施の形態に係る無線通信システムにおけるゲートウェイ装置の構成を示す図である。
【図７】図７は、本発明の実施の形態に係る無線通信システムにおける管理装置の構成を示す図である。
【図８】図８は、本発明の実施の形態に係るゲートウェイ装置が下り情報を受信する際の動作手順を定めたフローチャートである。
【図９】図９は、本発明の実施の形態に係る管理装置が情報配信を行なう際の動作手順を定めたフローチャートである。
【図１０】図１０は、本発明の実施の形態に係る無線通信システムにおける情報配信のシーケンスの一例を示す図である。
【図１１】図１１は、本発明の実施の形態に係る無線通信システムにおける情報配信のシーケンスの一例を示す図である。
【発明を実施するための形態】
【００１４】
最初に、本発明の実施形態の内容を列記して説明する。
【００１５】
（１）上記課題を解決するために、この発明のある局面に係わる無線通信システムは、管理装置と、前記管理装置に接続され、災害発生時の行動に関する行動情報を記憶するネットワーク側記憶装置と、前記管理装置とネットワークを介して接続され、１または複数の無線端末装置および前記ネットワーク間の通信を中継する１または複数のゲートウェイ装置と、前記ゲートウェイ装置に接続され、災害発生時の行動に関する行動情報を記憶するローカル記憶装置とを備え、前記ゲートウェイ装置は、災害発生を示す災害情報を受信して、前記ローカル記憶装置から前記行動情報を取得し、取得した前記行動情報を各前記無線端末装置に報知し、さらに、前記ローカル記憶装置が記憶する前記行動情報を前記ネットワーク側記憶装置が記憶している前記行動情報と同期させる更新部を備える。
【００１６】
このような構成により、ローカル記憶装置のローカルデータベースをネットワーク側記憶装置のデータベースと同期させ、ローカルデータベースの情報を事前に更新しておくことができるため、災害時、ネットワークにおいて通信障害が発生し、ネットワークに接続することが困難となった場合でも、より新しく有用な情報を無線端末装置に配信することができる。すなわち、災害発生後のネットワークの通信障害に関わらず、各ユーザが、災害発生時において適切な情報を取得することができ、災害発生時における情報伝達性能の高い無線通信システムを提供することができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００１７】
（２）好ましくは、前記ローカル記憶装置は、前記ネットワーク側記憶装置が記憶している前記行動情報の一部を記憶し、前記更新部は、前記ローカル記憶装置が記憶する前記行動情報を前記ネットワーク側記憶装置が記憶している前記行動情報の一部と同期させる。
【００１８】
このように、ネットワーク側記憶装置に記憶された無線通信システムにおける広範な行動情報の中から、個々のゲートウェイ装置に対応する行動情報と選択的に同期をとる構成により、効率的なデータ更新およびデータ管理を実現することができる。
【００１９】
（３）より好ましくは、前記更新部は、前記ネットワーク側記憶装置が記憶している前記行動情報のうち、前記ゲートウェイ装置の位置に対応する前記行動情報に、前記ゲートウェイ装置に接続された前記ローカル記憶装置が記憶する前記行動情報を同期させる。
【００２０】
このように、ゲートウェイ装置の位置に対応する行動情報と選択的に同期をとる構成により、ゲートウェイ装置の設置エリアに適した行動情報を選択し、効率的なデータ更新およびデータ管理を実現することができる。
【００２１】
（４）好ましくは、前記更新部は、前記ゲートウェイ装置が前記災害情報を受信する前の段階において、前記ローカル記憶装置が記憶する前記行動情報を前記ネットワーク側記憶装置が記憶している前記行動情報と同期させる。
【００２２】
このように、平時からデータ更新を行なう構成により、災害発生直後にネットワークにおいて通信障害が発生し、ネットワークに接続することが困難となった場合でも、より新しく有用な情報を無線端末装置に配信することができる。
【００２３】
（５）好ましくは、前記更新部は、前記ゲートウェイ装置が前記災害情報を受信した後の段階において、前記ローカル記憶装置が記憶する前記行動情報を前記ネットワーク側記憶装置が記憶している前記行動情報と同期させる。
【００２４】
このように、災害発生後もデータ更新を行なう構成により、災害発生後ある程度の時間が経過した後でネットワークにおいて通信障害が発生し、ネットワークに接続することが困難となった場合でも、より新しく有用な情報を無線端末装置に配信することができる。
【００２５】
（６）より好ましくは、前記更新部は、前記ゲートウェイ装置が前記災害情報を受信する前の段階および前記災害情報を受信した後の段階において、前記ローカル記憶装置が記憶する前記行動情報を前記ネットワーク側記憶装置が記憶している前記行動情報と同期させ、前記災害情報を受信した後の段階における前記行動情報の更新頻度を、前記災害情報を受信する前の段階と比べて多くする。
【００２６】
このような構成により、災害発生前と比べて最新かつ多様な情報が必要となる災害発生後において、より新しく有用な情報を無線端末装置に配信することができる。
【００２７】
（７）好ましくは、前記ゲートウェイ装置は、前記行動情報を報知した後、前記無線端末装置が起動した場合、報知した前記行動情報を、起動した前記無線端末装置へユニキャストする。
【００２８】
このような構成により、ゲートウェイ装置が行動情報を報知した際に電源が切られていた等の理由で当該行動情報を受信できなかった無線端末装置のユーザに対しても、より有用な情報を提供することができる。
【００２９】
（８）上記課題を解決するために、この発明のある局面に係わるゲートウェイ装置は、災害発生時の行動に関する行動情報を記憶するネットワーク側記憶装置が接続される管理装置とネットワークを介して接続され、災害発生時の行動に関する行動情報を記憶するローカル記憶装置と接続され、１または複数の無線端末装置および前記ネットワーク間の通信を中継するゲートウェイ装置であって、災害発生を示す災害情報を受信して、前記ローカル記憶装置から前記行動情報を取得する行動情報取得部と、前記行動情報取得部によって取得された前記行動情報を各前記無線端末装置に報知する行動情報配信部と、前記ローカル記憶装置が記憶する前記行動情報を前記ネットワーク側記憶装置が記憶している前記行動情報と同期させる更新部とを備える。
【００３０】
このような構成により、ローカル記憶装置のローカルデータベースをネットワーク側記憶装置のデータベースと同期させ、ローカルデータベースの情報を事前に更新しておくことができるため、災害時、ネットワークにおいて通信障害が発生し、ネットワークに接続することが困難となった場合でも、より新しく有用な情報を無線端末装置に配信することができる。すなわち、災害発生後のネットワークの通信障害に関わらず、各ユーザが、災害発生時において適切な情報を取得することができ、災害発生時における情報伝達性能の高い無線通信システムを提供することができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００３１】
（９）上記課題を解決するために、この発明のある局面に係わる通信制御方法は、管理装置と、前記管理装置に接続され、災害発生時の行動に関する行動情報を記憶するネットワーク側記憶装置と、前記管理装置とネットワークを介して接続され、１または複数の無線端末装置および前記ネットワーク間の通信を中継する１または複数のゲートウェイ装置と、前記ゲートウェイ装置に接続され、災害発生時の行動に関する行動情報を記憶するローカル記憶装置とを備える無線通信システムにおける通信制御方法であって、前記ゲートウェイ装置が、災害発生を示す災害情報を受信して、前記ローカル記憶装置から前記行動情報を取得し、取得した前記行動情報を各前記無線端末装置に報知するステップと、前記ローカル記憶装置が記憶する前記行動情報を前記ネットワーク側記憶装置が記憶している前記行動情報と同期させるステップとを含む。
【００３２】
このような構成により、ローカル記憶装置のローカルデータベースをネットワーク側記憶装置のデータベースと同期させ、ローカルデータベースの情報を事前に更新しておくことができるため、災害時、ネットワークにおいて通信障害が発生し、ネットワークに接続することが困難となった場合でも、より新しく有用な情報を無線端末装置に配信することができる。すなわち、災害発生後のネットワークの通信障害に関わらず、各ユーザが、災害発生時において適切な情報を取得することができ、災害発生時における情報伝達性能の高い無線通信システムを提供することができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００３３】
以下、本発明の実施の形態について図面を用いて説明する。なお、図中同一または相当部分には同一符号を付してその説明は繰り返さない。
【００３４】
＜第１の実施の形態＞
［構成および基本動作］
図１は、本発明の実施の形態に係る無線通信システムの構成を示す図である。
【００３５】
図１を参照して、無線通信システム３０１は、管理装置１０１と、記憶装置１５１と、１または複数のゲートウェイ装置１１１と、１または複数の記憶装置１２１とを備える。なお、管理装置１０１は、記憶装置１５１を含む構成であってもよい。また、ゲートウェイ装置１１１は、記憶装置１２１を含む構成であってもよい。また、無線通信システム３０１は、管理装置１０１を複数備えてもよいし、記憶装置１５１を複数備えてもよい。また、図１では、無線通信システム３０１は、ゲートウェイ装置１１１および記憶装置１２１を２組備えているが、１組または３組以上を備える構成であってもよい。
【００３６】
ゲートウェイ装置１１１は、たとえば無線ＬＡＮのアクセスポイントであり、管理装置１０１とネットワーク２５１を介して接続され、１または複数の無線端末装置２０２およびネットワーク２５１間の通信を中継する。ゲートウェイ装置１１１は、ネットワーク２５１と有線接続または無線接続されている。
【００３７】
管理装置１０１は、ネットワーク２５１およびゲートウェイ装置１１１を介して複数の無線端末装置２０２と通信可能である。
【００３８】
ネットワーク２５１は、たとえば、３ＧＰＰ(Third Generation Partnership Project)で規格化されたＬＴＥ（Long Term Evolution）に従う移動体無線通信システム、またはＩＥＥＥ８０２．１１で規格化された無線ＬＡＮシステムを含む。
【００３９】
無線端末装置２０２は、ゲートウェイ装置１１１と無線信号を送受信することにより、ネットワーク２５１を介して管理装置１０１等の他の装置と通信可能である。
【００４０】
センサ１６１は、ネットワーク２５１における通信装置と有線通信または無線通信を行なうことにより、ネットワーク２５１を介して管理装置１０１等の他の装置と通信可能である。
【００４１】
なお、無線通信システム３０１は、センサ１６１に加えて、あるいはセンサ１６１の代わりに、何らかの情報を提供する装置を備える構成であってもよい。
【００４２】
記憶装置１５１は、管理装置１０１に接続されている。記憶装置１５１は、災害発生時の行動に関する行動情報のデータベースを記憶する。
【００４３】
記憶装置１２１は、ゲートウェイ装置１１１に接続され、上記行動情報のローカルデータベースを記憶する。たとえば、記憶装置１２１は、記憶装置１５１が記憶している行動情報の一部を記憶する。この場合、記憶装置１２１のローカルデータベースのデータ量は、記憶装置１５１のデータベースのデータ量よりも小さい。
【００４４】
この行動情報は、無線端末装置２０２のユーザ本人の行動の指針となるもの、または医者等の他人の行動の指針となるものを含む。また、この行動情報は、災害発生の有無に関わらず、定期的または不定期に更新される。
【００４５】
具体的には、たとえば、管理装置１０１および記憶装置１５１は、市町村等のエリア単位で設けられており、記憶装置１５１は、避難所の情報等のハザードマップ、交通情報、被災状況および避難指示等の情報を記憶する。たとえば、ハザードマップは、平時に自治体が更新する。また、記憶装置１５１は、ウェブサイトの情報をデータ解析することで得られる情報を記憶してもよい。
【００４６】
また、記憶装置１５１は、災害発生前の情報を記憶してもよいし、災害発生後に各種情報を記憶してもよい。具体的には、たとえば、交通情報、近隣の病院および避難所等の位置情報、カルテ等の医療情報、天気予報および安否情報を記憶装置１５１に保存することが可能である。また、たとえば、災害発生からある程度の時間が経過した状態において、ツイッター（登録商標）およびフェイスブック（登録商標）等の情報をデータ解析することで得られる交通情報等を記憶装置１５１に保存することも可能である。
【００４７】
記憶装置１５１に保存する情報は、エリアごとに異なるものとすることが可能である。たとえば、災害発生からある程度の時間が経過した状態において、被災中心エリアでは、食料、電気およびガスなどの情報が保存される。また、被災中心からある程度離れたエリアでは、交通情報および近隣マップ等の情報が保存される。
【００４８】
図２は、本発明の実施の形態に係る無線通信システムによる行動情報の配信を示す図である。
【００４９】
図２を参照して、ゲートウェイ装置１１１は、災害発生を示す災害情報を受信して、記憶装置１２１から行動情報を取得し、取得した行動情報を、自己と無線接続された各無線端末装置２０２に報知する。ゲートウェイ装置１１１は、災害発生を示す災害情報をたとえば管理装置１０１から受信する。
【００５０】
災害情報は、センサおよび地震の計測器等からの情報であってもよいし、災害情報をオペレータが手動で管理装置１０１に通知してもよい。
【００５１】
図３は、本発明の実施の形態に係る無線通信システムの平時における利用形態の一例を示す図である。
【００５２】
図３を参照して、センサ１６１は、電力使用量およびガス使用量等を測定し、測定結果を示すセンサ情報をネットワーク２５１経由で管理装置１０１へ送信する。
【００５３】
管理装置１０１は、センサ１６１から受信したセンサ情報を記憶装置１５１に保存する。
【００５４】
記憶装置１５１に保存されたセンサ情報は、公共サービスのデータ収集および分析等に利用される。
【００５５】
このように、平時において公共サービスのデータ収集を行なう構成により、記憶装置１５１を有効利用することができ、システムの汎用性を高めることができる。
【００５６】
図４は、本発明の実施の形態に係る無線通信システムにおける、無線端末装置による情報取得を示す図である。
【００５７】
図４を参照して、ゲートウェイ装置１１１は、無線端末装置２０２からの情報要求を受信して、当該情報要求の示す行動情報を記憶装置１２１のローカルデータベースから取得する。そして、ゲートウェイ装置１１１は、取得した行動情報を無線端末装置２０２へユニキャストする。
【００５８】
このように、ゲートウェイ装置１１１は、プッシュ型情報配信およびプル型情報配信の両方を行なうことが可能である。
【００５９】
これにより、ユーザは、災害発生後、たとえば、今後の生活に必要となる電気、ガスおよび食料等の情報を主体的に得ることができる。
【００６０】
図５は、本発明の実施の形態に係る無線通信システムによるローカルデータベースの更新を示す図である。
【００６１】
図５を参照して、管理装置１０１およびゲートウェイ装置１１１は、管理装置１０１からゲートウェイ装置１１１へ更新情報を伝達することにより、定期的または不定期に記憶装置１２１のローカルデータベースを記憶装置１５１のデータベースと同期させ、ローカルデータベースの情報を更新する。
【００６２】
具体的には、たとえば、管理装置１０１がセンサ１６１から新たなセンサ情報を受信した場合、記憶装置１５１のデータベースが更新されるとともに、記憶装置１２１のローカルデータベースも更新される。
【００６３】
図６は、本発明の実施の形態に係る無線通信システムにおけるゲートウェイ装置の構成を示す図である。
【００６４】
図６を参照して、ゲートウェイ装置１１１は、行動情報取得部２１と、行動情報配信部２２と、データベース更新部２４とを含む。
【００６５】
行動情報取得部２１は、災害発生を示す災害情報をたとえば管理装置１０１から受信して、記憶装置１２１のローカルデータベースから行動情報を取得する。
【００６６】
たとえば、行動情報取得部２１は、記憶装置１２１に記憶された行動情報のうちの一部または全部を選択して取得する。
【００６７】
行動情報配信部２２は、行動情報取得部２１によって取得された行動情報を各無線端末装置２０２に報知する。
【００６８】
データベース更新部２４は、定期的または不定期に記憶装置１２１のローカルデータベースを記憶装置１５１のデータベースと同期させ、ローカルデータベースの情報を更新する。たとえば、データベース更新部２４は、定期的または不定期に更新情報要求を管理装置１０１へ送信する。データベース更新部２４は、管理装置１０１から受信した更新情報等に基づいて、記憶装置１２１のローカルデータベースを更新する。
【００６９】
より詳細には、データベース更新部２４は、記憶装置１２１が記憶する行動情報を記憶装置１５１が記憶している行動情報の一部と同期させる。
【００７０】
たとえば、データベース更新部２４は、記憶装置１５１が記憶している行動情報のうち、自己のゲートウェイ装置１１１の位置に対応する行動情報に、自己のゲートウェイ装置１１１に接続された記憶装置１２１が記憶する行動情報を同期させる。
【００７１】
具体的には、管理装置１０１からの更新情報に位置情報が含まれる場合、データベース更新部２４は、管理装置１０１から受信した更新情報の中から、自己のゲートウェイ装置１１１の位置と同じであるか、または自己のゲートウェイ装置１１１の位置が含まれるエリアの情報を選択する。そして、データベース更新部２４は、選択した情報に基づいて、記憶装置１２１のローカルデータベースを更新する。
【００７２】
ゲートウェイ装置１１１の位置情報の取得方法として、たとえば、ゲートウェイ装置１１１は、ＬＴＥ等の移動体通信システムにおける無線端末装置２０２の位置情報、またはＧＰＳを利用した無線端末装置２０２もしくは自己の位置情報を取得することが可能である。
【００７３】
図７は、本発明の実施の形態に係る無線通信システムにおける管理装置の構成を示す図である。
【００７４】
図７を参照して、管理装置１０１は、更新情報送信部１１と、データベース更新部１４とを含む。
【００７５】
データベース更新部１４は、センサ１６１から受信したセンサ情報等に基づいて、記憶装置１５１のデータベースを更新する。また、データベース更新部１４は、記憶装置１２１が記憶する行動情報を記憶装置１５１が記憶している行動情報と同期させる。具体的には、データベース更新部１４は、ゲートウェイ装置１１１から更新情報要求を受信して、記憶装置１５１を参照し、記憶装置１５１のデータベースの更新情報を作成する。
【００７６】
更新情報送信部１１は、データベース更新部１４によって作成された更新情報を、当該更新情報要求の送信元のゲートウェイ装置１１１へ送信する。
【００７７】
より詳細には、データベース更新部１４は、記憶装置１２１が記憶する行動情報を記憶装置１５１が記憶している行動情報の一部と同期させる。
【００７８】
たとえば、データベース更新部１４は、記憶装置１５１が記憶している行動情報のうち、ゲートウェイ装置１１１の位置に対応する行動情報に、当該ゲートウェイ装置１１１に接続された記憶装置１２１が記憶する行動情報を同期させる。
【００７９】
具体的には、データベース更新部１４は、記憶装置１５１のデータベースの中から、更新情報要求の送信元のゲートウェイ装置１１１の位置と同じであるか、または当該ゲートウェイ装置１１１の位置が含まれるエリアの情報を選択する。そして、データベース更新部１４は、選択した情報に基づいて、更新情報を作成する。
【００８０】
たとえば、被災中心エリアに位置するゲートウェイ装置１１１に対しては、食料、電気およびガスなどの行動情報が選択される。また、被災中心からある程度離れたエリアに位置するゲートウェイ装置１１１に対しては、交通情報および近隣マップ等の情報が選択される。
【００８１】
なお、図６で説明した一例のようにゲートウェイ装置１１１が自己の位置に対応する行動情報を更新情報の中から選択する場合、管理装置１０１におけるデータベース更新部１４は、上記のような選択処理を行なわず、各種行動情報に位置情報を含めた更新情報を作成して無線端末装置２０２へ送信すればよい。
【００８２】
また、データベース更新部１４は、ゲートウェイ装置１１１のＩＤに対応する行動情報を選択する構成であってもよい。この場合、管理装置１０１は、ゲートウェイ装置１１１のＩＤとゲートウェイ装置１１１の位置との対応関係を示す情報を保持する。
【００８３】
［動作］
次に、本発明の実施の形態に係る無線通信システムによる情報配信について図面を用いて説明する。
【００８４】
無線通信システム３０１における各装置は、以下のフローチャートおよびシーケンスの各ステップを含むプログラムを図示しないメモリから読み出して実行する。このプログラムは、外部からインストールすることができる。
【００８５】
図８は、本発明の実施の形態に係るゲートウェイ装置が下り情報を受信する際の動作手順を定めたフローチャートである。
【００８６】
図８を参照して、まず、ゲートウェイ装置１１１は、ネットワーク２５１からデータを受信すると（ステップＳ１でＹＥＳ）、受信したデータの判別処理を行なう（ステップＳ２）。
【００８７】
ゲートウェイ装置１１１は、受信したデータが、更新情報等、管理装置１０１からのローカルデータベースに保存すべき情報である場合（ステップＳ２でＹＥＳ）、受信したデータに基づいてローカルデータベースを更新する（ステップＳ３）。
【００８８】
一方、ゲートウェイ装置１１１は、受信したデータが、無線端末装置２０２のユーザによるＷｅｂ閲覧のための情報等、管理装置１０１からのローカルデータベースに保存する必要のない情報である場合（ステップＳ２でＮＯ）、受信したデータを無線端末装置２０２へ送信する（ステップＳ４）。
【００８９】
図９は、本発明の実施の形態に係る管理装置が情報配信を行なう際の動作手順を定めたフローチャートである。
【００９０】
たとえば、データベース更新部１４，２４は、ゲートウェイ装置１１１が災害情報を受信する前の段階において、記憶装置１２１が記憶する行動情報を記憶装置１５１が記憶している行動情報と同期させる。
【００９１】
また、たとえば、データベース更新部１４，２４は、ゲートウェイ装置１１１が災害情報を受信した後の段階において、記憶装置１２１が記憶する行動情報を記憶装置１５１が記憶している行動情報と同期させる。
【００９２】
また、たとえば、データベース更新部１４，２４は、ゲートウェイ装置１１１が災害情報を受信する前の段階および災害情報を受信した後の段階において、記憶装置１２１が記憶する行動情報を記憶装置１５１が記憶している行動情報と同期させ、災害情報を受信した後の段階における行動情報の更新頻度を、災害情報を受信する前の段階と比べて多くする。
【００９３】
具体的には、図９を参照して、まず、ゲートウェイ装置１１１は、災害情報を受信していない通常モードにおいて（ステップＳ５１でＮＯ）、記憶装置１２１のローカルデータベースの同期処理を行なう。より詳細には、ゲートウェイ装置１１１は、たとえば管理装置１０１へ更新情報要求を周期的に送信し、更新情報要求に対する更新情報を管理装置１０１から受信することにより、記憶装置１２１のローカルデータベースを記憶装置１５１のデータベースと同期させ、ローカルデータベースの情報を更新する（ステップＳ５２）。
【００９４】
次に、ゲートウェイ装置１１１は、管理装置１０１から災害情報を受信すると（ステップＳ５１でＹＥＳ）、通常モードからブロードキャストモードへ遷移し、記憶装置１２１のローカルデータベースから配信情報を取得する。ここで、配信情報は、行動情報を少なくとも含む（ステップＳ５３）。
【００９５】
次に、ゲートウェイ装置１１１は、取得した配信情報を無線端末装置２０２へブロードキャストする（ステップＳ５４）。
【００９６】
次に、ゲートウェイ装置１１１は、ブロードキャストモードからユニキャストモードへ遷移する。具体的には、ゲートウェイ装置１１１は、まず、更新情報要求の送信周期を、通常モードと比べて短く設定する（ステップＳ５５）。
【００９７】
次に、ゲートウェイ装置１１１は、新たに設定した周期で更新情報要求をゲートウェイ装置１１１へ送信し、更新情報要求に対する更新情報をゲートウェイ装置１１１から受信することにより、記憶装置１２１のローカルデータベースを記憶装置１５１のデータベースと同期させ、ローカルデータベースの情報を更新する（ステップＳ５６）。
【００９８】
次に、ゲートウェイ装置１１１は、無線端末装置２０２から情報要求を受信すると（ステップＳ５７でＹＥＳ）、ローカルデータベースから当該情報要求に対応する配信情報を取得し（ステップＳ５８）、当該無線端末装置２０２へユニキャストする（ステップＳ５９）。
【００９９】
そして、ゲートウェイ装置１１１は、引き続きデータベースの同期処理を行なう（ステップＳ５６）。
【０１００】
なお、ゲートウェイ装置１１１は、配信情報をブロードキャストする構成に限らず、マルチキャストする構成であってもよい。
【０１０１】
また、ゲートウェイ装置１１１は、管理装置１０１から災害情報を取得する構成に限らず、他の方法で災害情報を取得する構成であってもよい。
【０１０２】
図１０は、本発明の実施の形態に係る無線通信システムにおける情報配信のシーケンスの一例を示す図である。
【０１０３】
図１０を参照して、まず、ゲートウェイ装置１１１は、災害情報を受信していない状態において、管理装置１０１へ更新情報要求を送信する。たとえば、管理装置１０１は、記憶装置１５１のデータベースが更新されていないことから、当該更新情報要求に対する更新情報をゲートウェイ装置１１１へ送信しない（ステップＳ１１）。
【０１０４】
次に、センサ１６１は、たとえば新たな測定結果が得られたことにより、センサ情報を管理装置１０１へ送信する（ステップＳ１２）。
【０１０５】
次に、管理装置１０１は、センサ１６１から新たなセンサ情報を受信して、当該センサ情報の内容に基づいて記憶装置１５１のデータベースを更新する（ステップＳ１３）。
【０１０６】
次に、ゲートウェイ装置１１１は、管理装置１０１へ更新情報要求を送信する（ステップＳ１４）。
【０１０７】
次に、管理装置１０１は、ゲートウェイ装置１１１から更新情報要求を受信して、前回更新情報要求を受信した後に記憶装置１５１のデータベースが更新されたことから、更新されたデータベースの内容に基づいて更新情報を作成し、作成した更新情報をゲートウェイ装置１１１へ送信する（ステップＳ１５）。
【０１０８】
次に、ゲートウェイ装置１１１は、管理装置１０１から受信した更新情報に基づいて記憶装置１２１のローカルデータベースを更新する（ステップＳ１６）。
【０１０９】
このような動作が繰り返されている状態において、図示しない災害検知装置は、災害発生を検知すると（ステップＳ１７）、災害情報を管理装置１０１へ送信する（ステップＳ１８）。
【０１１０】
次に、管理装置１０１は、災害検知装置から受信した災害情報をゲートウェイ装置１１１へ送信する（ステップＳ１９）。
【０１１１】
次に、ゲートウェイ装置１１１は、管理装置１０１から災害情報を受信して、記憶装置１２１のローカルデータベースから配信情報を取得し、無線端末装置２０２へブロードキャストする（ステップＳ２０）。
【０１１２】
図１１は、本発明の実施の形態に係る無線通信システムにおける情報配信のシーケンスの一例を示す図である。
【０１１３】
図１１を参照して、まず、ゲートウェイ装置１１１は、災害情報を受信していない状態において、管理装置１０１へ更新情報要求を送信する（ステップＳ３１）。たとえば、ゲートウェイ装置１１１は、前回更新情報要求を送信してから所定時間Ｔｐが経過すると、管理装置１０１へ更新情報要求を送信する（ステップＳ３２）。
【０１１４】
このような動作が繰り返されている状態において、図示しない災害検知装置は、災害発生を検知すると（ステップＳ３３）、災害情報を管理装置１０１へ送信する（ステップＳ３４）。
【０１１５】
次に、管理装置１０１は、災害検知装置から受信した災害情報をゲートウェイ装置１１１へ送信する（ステップＳ３５）。
【０１１６】
次に、ゲートウェイ装置１１１は、管理装置１０１から災害情報を受信して、記憶装置１２１のローカルデータベースから配信情報を取得し、無線端末装置２０２へブロードキャストする（ステップＳ３６）。
【０１１７】
次に、ゲートウェイ装置１１１は、災害情報を受信した後も、管理装置１０１への更新情報要求の送信を継続する（ステップＳ３７）。たとえば、ゲートウェイ装置１１１は、前回更新情報要求を送信してから所定時間Ｔａが経過すると、管理装置１０１へ更新情報要求を送信する（ステップＳ３８）。ここで、Ｔａ＜Ｔｐである。すなわち、ゲートウェイ装置１１１は、災害発生後のローカルデータベースの更新周期を、災害発生前と比べて短く設定する。
【０１１８】
次に、センサ１６１は、たとえば新たな測定結果が得られたことにより、センサ情報を管理装置１０１へ送信する（ステップＳ３９）。
【０１１９】
次に、管理装置１０１は、センサ１６１から新たなセンサ情報を受信して、当該センサ情報の内容に基づいて記憶装置１５１のデータベースを更新する（ステップＳ４０）。
【０１２０】
次に、ゲートウェイ装置１１１は、前回更新情報要求を送信してから所定時間Ｔａが経過すると、管理装置１０１へ更新情報要求を送信する（ステップＳ４１）。
【０１２１】
次に、管理装置１０１は、ゲートウェイ装置１１１から更新情報要求を受信して、前回更新情報要求を受信した後に記憶装置１５１のデータベースが更新されたことから、更新されたデータベースの内容に基づいて更新情報を作成し、作成した更新情報をゲートウェイ装置１１１へ送信する（ステップＳ４２）。
【０１２２】
次に、ゲートウェイ装置１１１は、管理装置１０１から受信した更新情報に基づいて記憶装置１２１のローカルデータベースを更新する（ステップＳ４３）。
【０１２３】
その後も、ゲートウェイ装置１１１は、所定時間Ｔａの間隔で更新情報要求を管理装置１０１へ送信する（ステップＳ４４，Ｓ４５）。
【０１２４】
ローカルデータベースの更新処理が継続して行われている状態において、無線端末装置２０２は、ある情報の配信を要求する旨を示す情報要求をゲートウェイ装置１１１へ送信する（ステップＳ４６）。
【０１２５】
次に、ゲートウェイ装置１１１は、無線端末装置２０２から情報要求を受信すると、ローカルデータベースから当該情報要求に対応する配信情報を取得し、当該無線端末装置２０２へユニキャストする（ステップＳ４７）。
【０１２６】
ここで、ゲートウェイ装置１１１は、行動情報を報知した後、無線端末装置２０２が起動した場合、報知した行動情報を、起動した無線端末装置２０２へユニキャストしてもよい。なお、「起動した無線端末装置２０２」は、報知された行動情報を１度も受信していない無線端末装置２０２であるか、または報知された行動情報を受信したが、その後、電源オフ等により再起動した無線端末装置２０２である。
【０１２７】
具体的には、データベースの更新処理が継続して行われている状態において、ある無線端末装置２０２が起動すると（ステップＳ４８）、当該無線端末装置２０２およびゲートウェイ装置１１１間で各種情報が送受信されることにより、当該無線端末装置２０２とゲートウェイ装置１１１との通信接続が確立する（ステップＳ４９）。
【０１２８】
ゲートウェイ装置１１１は、無線端末装置２０２との通信接続が確立すると、ローカルデータベースからブロードキャスト済みの配信情報を取得し、当該無線端末装置２０２へユニキャストする（ステップＳ５０）。
【０１２９】
なお、上記のようにゲートウェイ装置１１１が更新情報要求をゲートウェイ装置１１１へ送信することにより、ゲートウェイ装置１１１が主体的にローカルデータベースの更新を行なう構成に限らず、管理装置１０１が主体的にローカルデータベースの更新を行なう構成であってもよい。具体的には、たとえば、管理装置１０１におけるデータベース更新部１４は、数時間または１日に１回程度、更新情報を各ゲートウェイ装置１１１へ送信する。ゲートウェイ装置１１１におけるデータベース更新部２４は、管理装置１０１から受信した更新情報に基づいて、記憶装置１２１のローカルデータベースを更新する。
【０１３０】
ところで、Ｍ２Ｍシステム等の通信システムを利用するユーザは、地震等の災害が発生した場合、各種情報を取得するために、たとえば所有する無線端末装置を用いてネットワークに接続しようとする。しかしながら、このような災害時には、ネットワークにおいて通信障害が発生する状況も十分考えられ、この場合、ユーザはネットワークに接続することが困難となり、情報の取得が円滑に行なえなくなってしまう。
【０１３１】
これに対して、本発明の実施の形態に係る無線通信システムでは、記憶装置１５１は、管理装置１０１に接続され、災害発生時の行動に関する行動情報を記憶する。ゲートウェイ装置１１１は、管理装置１０１とネットワーク２５１を介して接続され、１または複数の無線端末装置２０２およびネットワーク２５１間の通信を中継する。記憶装置１２１は、ゲートウェイ装置１１１に接続され、災害発生時の行動に関する行動情報を記憶する。ゲートウェイ装置１１１は、災害発生を示す災害情報を受信して、記憶装置１２１から行動情報を取得し、取得した行動情報を各無線端末装置２０２に報知する。そして、ゲートウェイ装置１１１または管理装置１０１におけるデータベース更新部は、記憶装置１２１が記憶する行動情報を記憶装置１５１が記憶している行動情報と同期させる。
【０１３２】
また、本発明の実施の形態に係るゲートウェイ装置では、行動情報取得部２１は、災害発生を示す災害情報を受信して、記憶装置１２１から行動情報を取得する。行動情報配信部２２は、行動情報取得部２１によって取得された行動情報を各無線端末装置２０２に報知する。そして、データベース更新部２４は、記憶装置１２１が記憶する行動情報を記憶装置１５１が記憶している行動情報と同期させる。
【０１３３】
このような構成により、記憶装置１２１のローカルデータベースを記憶装置１５１のデータベースと同期させ、ローカルデータベースの情報を事前に更新しておくことができるため、災害時、ネットワークにおいて通信障害が発生し、ネットワークに接続することが困難となった場合でも、より新しく有用な情報を無線端末装置２０２に配信することができる。すなわち、災害発生後のネットワークの通信障害に関わらず、各ユーザが、災害発生時において適切な情報を取得することができ、災害発生時における情報伝達性能の高い無線通信システムを提供することができる。
【０１３４】
また、行動情報は、災害自体の情報を含んでもよいが、災害自体の情報だけでなく、災害発生時における行動指針が得られるような情報である。これにより、災害発生時においてユーザに対してより有用な情報を提供することが可能となる。
【０１３５】
したがって、本発明の実施の形態に係る無線通信システムおよびゲートウェイ装置では、災害が発生した場合におけるネットワークからの情報取得を支援することができる。
【０１３６】
また、本発明の実施の形態に係る無線通信システムでは、記憶装置１２１は、記憶装置１５１が記憶している行動情報の一部を記憶する。そして、データベース更新部１４，２４は、記憶装置１２１が記憶する行動情報を記憶装置１５１が記憶している当該行動情報の一部と同期させる。
【０１３７】
このように、ネットワーク側の記憶装置１５１に記憶された無線通信システム３０１における広範な行動情報の中から、個々のゲートウェイ装置１１１に対応する行動情報と選択的に同期をとる構成により、効率的なデータ更新およびデータ管理を実現することができる。
【０１３８】
また、本発明の実施の形態に係る無線通信システムでは、データベース更新部１４，２４は、記憶装置１５１が記憶している行動情報のうち、ゲートウェイ装置１１１の位置に対応する行動情報に、当該ゲートウェイ装置１１１に接続された記憶装置１２１が記憶する行動情報を同期させる。
【０１３９】
このように、ゲートウェイ装置１１１の位置に対応する行動情報と選択的に同期をとる構成により、ゲートウェイ装置１１１の設置エリアに適した行動情報を選択し、効率的なデータ更新およびデータ管理を実現することができる。
【０１４０】
また、本発明の実施の形態に係る無線通信システムでは、データベース更新部１４，２４は、ゲートウェイ装置１１１が災害情報を受信する前の段階において、記憶装置１２１が記憶する行動情報を記憶装置１５１が記憶している行動情報と同期させる。
【０１４１】
このように、平時からデータ更新を行なう構成により、災害発生直後にネットワークにおいて通信障害が発生し、ネットワークに接続することが困難となった場合でも、より新しく有用な情報を無線端末装置２０２に配信することができる。
【０１４２】
また、本発明の実施の形態に係る無線通信システムでは、データベース更新部１４，２４は、ゲートウェイ装置１１１が災害情報を受信した後の段階において、記憶装置１２１が記憶する行動情報を記憶装置１５１が記憶している行動情報と同期させる。
【０１４３】
このように、災害発生後もデータ更新を行なう構成により、災害発生後ある程度の時間が経過した後でネットワークにおいて通信障害が発生し、ネットワークに接続することが困難となった場合でも、より新しく有用な情報を無線端末装置２０２に配信することができる。
【０１４４】
また、本発明の実施の形態に係る無線通信システムでは、データベース更新部１４，２４は、ゲートウェイ装置１１１が災害情報を受信する前の段階および災害情報を受信した後の段階において、記憶装置１２１が記憶する行動情報を記憶装置１５１が記憶している行動情報と同期させ、災害情報を受信した後の段階における行動情報の更新頻度を、災害情報を受信する前の段階と比べて多くする。
【０１４５】
このような構成により、災害発生前と比べて最新かつ多様な情報が必要となる災害発生後において、より新しく有用な情報を無線端末装置２０２に配信することができる。
【０１４６】
また、本発明の実施の形態に係る無線通信システムでは、ゲートウェイ装置１１１は、行動情報を報知した後、無線端末装置２０２が起動した場合、報知した行動情報を、起動した無線端末装置２０２へユニキャストする。
【０１４７】
このような構成により、ゲートウェイ装置１１１が行動情報を報知した際に電源が切られていた等の理由で当該行動情報を受信できなかった無線端末装置２０２のユーザに対しても、より有用な情報を提供することができる。
【０１４８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１４９】
１１  更新情報送信部
１４  データベース更新部
２１  行動情報取得部
２２  行動情報配信部
２４  データベース更新部
１０１  管理装置
１１１  ゲートウェイ装置
１２１，１５１  記憶装置
１６１  センサ
２０２  無線端末装置
２５１  ネットワーク
３０１  無線通信システム
【図１】
2014192890.tif 000003
【図２】
2014192890.tif 000004
【図３】
2014192890.tif 000005
【図４】
2014192890.tif 000006
【図５】
2014192890.tif 000007
【図６】
2014192890.tif 000008
【図７】
2014192890.tif 000009
【図８】
2014192890.tif 000010
【図９】
2014192890.tif 000011
【図１０】
2014192890.tif 000012
【図１１】
2014192890.tif 000013